(57)【特許請求の範囲】
【請求項１】
配線盤本体部（１ａ、１ｂ、１ｃ）に対して互いに平行な回転中心を以って回転することによって開閉する一対の扉状のパネル（２）に光コネクタアダプタ（８）が取り付けられ、前記パネルの前記配線盤本体部側から前記光コネクタアダプタにコネクタ接続された光ファイバ（１１、１２）と、前記パネルの前記配線盤本体部に対する逆側である前面側から前記光コネクタアダプタにコネクタ接続された光ファイバ（９）とが前記光コネクタアダプタを介して接続されるようになっており、
各パネルの回転中心をなす回転支持部（１４、１５）が、配線盤本体部の前面側中央部に、横並びに配置され、各パネルは、前記配線盤本体部の前面側を塞ぐ閉位置と、この閉位置から配線盤本体部の前面側へほぼ９０°回転させた開位置との間で回転自在であり、
前記パネルの外側から該パネルに配線されて前記光コネクタアダプタに接続される光ファイバを保持する光ファイバ保持具（１６）が、前記パネルの回転中心近傍にて前記配線盤本体部に設けられ、
前記パネルの外側から該パネルに配線されて前記光コネクタアダプタに接続され両パネル間に渡すようにして配線される光ファイバ（９）が、各パネルの回転中心間に設けられた前記光ファイバ保持具によって保持されるようになっており、
各パネルの回転中心間に、前記パネルの外側から該パネルに配線されて前記光コネクタアダプタに接続され両パネル間に渡すようにして配線される光ファイバ（９）の余長が湾曲配線される空間であるジャンパ部（１Ｃ）が確保され、このジャンパ部に、前記光ファイバ保持具が設けられていることを特徴とする光配線盤（１、１Ａ、１Ｂ）。
【請求項２】
前記光ファイバ保持具は、配線盤本体部に固定されたリング体であり、前記パネルの外側から該パネルに配線されて前記光コネクタアダプタに接続され両パネル間に渡すようにして配線される光ファイバ（９）が、前記光ファイバ保持具の内側に落とし込むようにして前記ジャンパ部内に湾曲配線されることを特徴とする請求項１記載の光配線盤。
【発明の詳細な説明】
【０００１】
【発明の属する技術分野】
本発明は、光配線盤に関するものである。
【０００２】
【従来の技術】
従来、光配線盤としては、架体に複数配列固定された光コネクタアダプタを介して、架体前面側と背面側とからそれぞれ架体に引き込んだ光ファイバ同士がコネクタ接続されるようになっているものが多く提供されている。前記光コネクタアダプタに対する光ファイバの接続は、該光ファイバ先端に設けられた光コネクタプラグによって着脱自在になされ、これにより、光ファイバ間の切替接続（ジャンパ接続）が可能になっていることが一般的である。
【０００３】
【発明が解決しようとする課題】
しかしながら、前述のような光配線盤では、前面側のみならず、背面側でも、光コネクタアダプタに対する光ファイバの接続等の作業を行う必要があるから、背面側にも作業スペースを確保する必要がある。このため、例えば、建物の壁等に背面を近接させて設置することができず、結局、光配線盤の設置には比較的大きい設置スペースを確保する必要があった。また、光コネクタアダプタを介して光ファイバ同士を接続する場合、前面側および背面側の両側を往復して接続する光ファイバ同士を対照させながら作業を進めることになるから、作業性に不満があった。特に、多数の光コネクタアダプタが高密度実装された光配線盤では、接続の作業数が膨大となるため、前述のように前面側および背面側の両側を往復して作業するのでは、作業性の低下が顕著になるといった不満があった。なお、作業性の問題は、接続作業に限定されるものでは無く、接続解除や切替接続等の作業でも同様に発生する。
【０００４】
本発明は、前述の課題に鑑みてなされたもので、設置スペースの省スペース化、光ファイバ同士の接続や切替接続等の作業性の向上を実現できる光配線盤を提供することを目的とする。
【０００５】
【課題を解決するための手段】
請求項１記載の光配線盤は、配線盤本体部（１ａ、１ｂ、１ｃ）に対して互いに平行な回転中心を以って回転することによって開閉する一対の扉状のパネル（２）に光コネクタアダプタ（８）が取り付けられ、前記パネルの前記配線盤本体部側から前記光コネクタアダプタにコネクタ接続された光ファイバ（１１、１２）と、前記パネルの前記配線盤本体部に対する逆側である前面側から前記光コネクタアダプタにコネクタ接続された光ファイバ（９）とが前記光コネクタアダプタを介して接続されるようになっており、各パネルの回転中心をなす回転支持部（１４、１５）が、配線盤本体部の前面側中央部に、横並びに配置され、各パネルは、前記配線盤本体部の前面側を塞ぐ閉位置と、この閉位置から配線盤本体部の前面側へほぼ９０°回転させた開位置との間で回転自在であり、前記パネルの外側から該パネルに配線されて前記光コネクタアダプタに接続される光ファイバを保持する光ファイバ保持具（１６）が、前記パネルの回転中心近傍にて前記配線盤本体部に設けられ、前記パネルの外側から該パネルに配線されて前記光コネクタアダプタに接続され両パネル間に渡すようにして配線される光ファイバ（９）が、各パネルの回転中心間に設けられた前記光ファイバ保持具によって保持されるようになっており、各パネルの回転中心間に、前記パネルの外側から該パネルに配線されて前記光コネクタアダプタに接続され両パネル間に渡すようにして配線される光ファイバ（９）の余長が湾曲配線される空間であるジャンパ部（１Ｃ）が確保され、このジャンパ部に、前記光ファイバ保持具が設けられていることを特徴とする。
請求項２記載の発明は、請求項１記載の光配線盤において、前記光ファイバ保持具は、配線盤本体部に固定されたリング体であり、前記パネルの外側から該パネルに配線されて前記光コネクタアダプタに接続され両パネル間に渡すようにして配線される光ファイバ（９）が、前記光ファイバ保持具の内側に落とし込むようにして前記ジャンパ部内に湾曲配線されることを特徴とする。
【０００６】
【発明の実施の形態】
以下、本発明の１実施の形態を説明する。
図１は、光配線盤１を示す図であって、（ａ）は正面図、（ｂ）は（ａ）の平面図、（ｃ）は（ｂ）のＡ−Ａ線断面矢視図、（ｄ）は（ａ）のＢ−Ｂ線断面矢視図である。図２は、図１（ａ）のＣ−Ｃ線断面矢視図（但し、図１（ａ）に比べて拡大している）である。
この光配線盤１は、二つの光配線盤１Ａ、１Ｂを横並びに近接配置した構成になっている。両光配線盤１Ａ、１Ｂの境界近傍には、両光配線盤１Ａ、１Ｂに渡すように配線される光ファイバ９を移動可能に収納するジャンパ部１Ｃが設けられている。
【０００７】
図１（ａ）〜（ｄ）および図２において、光配線盤１Ａ、１Ｂは、配線盤本体部１ａ、１ｂを構成するフレーム３と、このフレーム３の前面側（図１（ａ）中紙面手前、図１（ｂ）中下側、図１（ｄ）中左側、図２中下側）に回転により開閉自在に設けられた扉状のパネル２とを備えた構成であり、パネル２が設けられた前面側を同じ側に向けて近接配置されている。
【０００８】
図中符号４、５のケーブル固定部は、この光配線盤１に引き込まれる光ファイバケーブル６、７を固定するものであり、図１（ａ）、（ｃ）、（ｄ）では、光配線盤１の下部にてフレーム３に固定して設けられている。但し、これらケーブル固定部４、５の光配線盤１における設置位置は、図１（ａ）、（ｃ）、（ｄ）に例示したものに限定されず、例えば、光配線盤１の上部等であっても良い。
【０００９】
図１（ａ）、（ｃ）、（ｄ）および図２に示すように、光配線盤１Ｂでは、前記ケーブル固定部５に固定された光ファイバケーブル７端末から口出しされた光ファイバ１２（光ファイバ心線等）が、配線盤本体部１ａ内部の光ファイバ配線部２０を経由して、光配線盤１Ｂの前面側に設けられたパネル２に引き込まれ、該光ファイバ１２先端に設けられた光コネクタプラグ（図示略）によって、前記パネル２に設けられたコネクタ配列部１８の光コネクタアダプタ８に着脱自在にコネクタ接続される。
光配線盤１Ａの構成も、光配線盤１Ｂと同様であり、前記ケーブル固定部４に固定された光ファイバケーブル６端末から口出しされた光ファイバ１１（光ファイバ心線等）が、配線盤本体部１ａ内部の光ファイバ配線部２０（図示せず）を経由して光配線盤１Ａの前面側（図１（ａ）中紙面手前、図１（ｂ）中下側、図１（ｄ）中左側）に設けられたパネル２に引き込まれ、該光ファイバ１１先端に設けられた光コネクタプラグ１１ａ（図４参照）によって、前記パネル２に取り付けられた光コネクタアダプタ８に着脱自在にコネクタ接続される。
【００１０】
いずれの光配線盤１Ａ、１Ｂでも、光コネクタアダプタ８には、光配線盤１前面側から光ファイバが着脱自在にコネクタ接続可能であり、この光コネクタアダプタ８を介して、該光コネクタアダプタ８の両側から接続された光ファイバ同士が着脱自在に接続される。
【００１１】
なお、図１（ｄ）、図２、図４、図５中、符号２ｂは、パネル２の配線盤本体部１ａ、１ｂ側の面に取り付けられた光ファイバ受け台である。パネル２の配線盤本体部１ａ、１ｂに引き込まれた光ファイバ１１、１２は、前記光ファイバ受け台２ｂに配線され、そこから立ち上げるようにして目的の光コネクタアダプタ８にコネクタ接続される。
図中、符号２ｄはフレーム３に設けられた背面板、２ｅは光ファイバ配線部２０に引き込まれた光ファイバ１１、１２を固定するクランプ、２ｆは光ファイバ１１、１２を背面板２ｄに沿って引き留めるサポート部材、２ｇは光ファイバ受け台２ｂ、２ｃ上に配線された光ファイバ９、１１、１２を押えるファイバ押えである。
【００１２】
パネル２は、光コネクタアダプタ８が複数横並びに配列されてなるコネクタ配列部１８が上下に多段に設けられた構成になっている。コネクタ配列部１８の光コネクタアダプタ８は、配線盤本体部１ａ、１ｂ側から接続された光ファイバ１０（光ファイバ心線等）を、光配線盤本体部１ａ、１ｂに対する逆側である前面側から光コネクタアダプタ８にコネクタ接続される別の光ファイバに対してコネクタ接続可能に成端するようになっている。
【００１３】
本実施の形態では、光配線盤１前面側から光コネクタアダプタ８にコネクタ接続される光ファイバとして、ジャンパ部１Ｃを介して両光配線盤１Ａ、１Ｂ間に渡すようにして配線されるジャンパ接続用の光ファイバ９を採用している。この光ファイバ９の両端は、各光配線盤１Ａ、１Ｂのパネル２の前面側に引き込まれ、その先端に設けられた光コネクタプラグ９ａ（図３、図５参照）によって、それぞれ、光コネクタアダプタ８に対してコネクタ接続される。
光ファイバ９の両端を光コネクタアダプタ８に接続すると、光コネクタアダプタ８に接続されている光ファイバ１１、１２間が光ファイバ９を介して接続される。そして、光ファイバ９のいずれか一方または両方の端部を、各パネル２にそれぞれ複数設けられている光コネクタアダプタ８に対して切替接続することで、光ファイバ１１、１２間のジャンパ接続を行うことができる。パネル２前面側に引き込まれた光ファイバ９は、パネル２前面側に固定された樋状の光ファイバ受け台２ｂに配線され、この光ファイバ受け台２ｂから立ち上げるようにして、目的の光コネクタアダプタ８に接続される。
なお、光配線盤１前面側から光コネクタアダプタ８にコネクタ接続される光ファイバとしては、ジャンパ接続用の前記光ファイバ９に限定されず、例えば、別途、光配線盤１に引き込まれた光ファイバケーブルから口出しされた光ファイバ等であっても良い。
【００１４】
光コネクタアダプタ８としては、各種構成が採用可能であるが、単心に対応する光コネクタアダプタとしては、例えばＪＩＳ  Ｃ  ５９７３に制定されるＳＣ形光コネクタ（Single fiber Coupling optical fiber connector)用の光コネクタアダプタ等が採用される。
【００１５】
図３および図５に示すように、パネル２は、光配線盤１の前面側中央部に設けられた回転支持部１４、１５、詳細には配線盤本体部１ａ、１ｂからなる配線盤本体部１ｃ（図２御参照）の前面側中央部に設けられた回転支持部１４、１５によってほぼ鉛直の回転軸線を以って回転自在に支持されており、配線盤本体部１ａ、１ｂの前面側を塞ぐ閉位置（図２、図３の位置）と、配線盤本体部１ａ、１ｂ、１ｃに対してほぼ垂直の開位置（図４、図７の位置）との間で回転自在である。また、前記回転支持部１４、１５の設置位置は、各光配線盤１Ａ、１Ｂの前面側一側部であり、両光配線盤１Ａ、１Ｂを近接配置することで、光配線盤１Ａ、１Ｂ間の境界近傍にて近接配置されるようになっている。
【００１６】
ジャンパ部１Ｃは、各光配線盤１Ａ、１Ｂのパネル２、２の回転中心間の領域（空間）に、各パネル２に配線される光ファイバ９を保持する光ファイバ保持具１６を設置した構成になっている。各光配線盤１Ａ、１Ｂのパネル２、２間に渡すようにして配線された光ファイバ９は、前記光ファイバ保持具１６を利用してジャンパ部１Ｃにて湾曲配線することで余長が吸収される。
具体的には、前記光ファイバ保持具１６は、配線盤本体部１ｃに固定されたリング体であり、前記光ファイバ９は、前記光ファイバ保持具１６の内側に落とし込むようにして湾曲配線される。
【００１７】
前記光ファイバ保持具１６は、パネル２を回転しても移動しない。また、光ファイバ保持具１６は、回転支持部１４、１５の近傍、すなわちパネル２、２の回転中心の近傍に位置しているため、パネル２を回転しても、パネル２と光ファイバ保持具１６との間に配線された光ファイバ９は、全く移動しないかあるいは殆ど移動しないから、光ファイバ９の光特性に悪影響を与える心配は無い。さらに、両パネル２、２間に配線された多数本の光ファイバ９を複数の光ファイバ保持具１６によって整理して保持することで、パネル２の回転に起因する揺れや移動等によって光ファイバ９同士が絡み合う等の不都合を防止でき、整然と整理された配線状態を維持することができる。
一方、各パネル２の配線盤本体部１ａ、１ｂ側に配線される光ファイバ１１、１２も、回転支持部１４、１５の近傍、すなわちパネル２、２の回転中心の近傍にて、配線盤本体部１ａ、１ｂからパネル２に引き込まれているから、パネル２の回転によって光特性に悪影響を与える心配が無い。
【００１８】
この光配線盤１では、前面側からの光コネクタアダプタ８に対する光ファイバ９の接続や接続解除、切替接続は、図３等に示すように、パネル２を閉位置とすることで、効率良く行うことができる。
一方、図５あるいは図４、図６、図７に示すように、この光配線盤１では、パネル２を前面側に引き出すようにして回転させ開位置とすることで、パネル２の配線盤本体部１ａ、１ｂ側の面を露出できるので、光コネクタアダプタ８に対する光ファイバ１１、１２の接続、接続解除、切替接続等の作業を効率良く行うことができる。
【００１９】
このように、この光配線盤１では、前面側からの光コネクタアダプタ８に対する光ファイバ９の接続、接続解除、切替接続に加えて、パネル２の配線盤本体１ａ、１ｂ側からの光コネクタアダプタ８に対する光ファイバ１１、１２の接続、接続解除、切替接続をも、前面側にて行うことができる。したがって、この光配線盤１では、前面側のみに作業スペースを確保すれば良く、前記前面側に対向する背面側に作業スペースを確保する必要が無いから、設置スペースの大幅な省スペース化が可能である。また、例えば、局等の建物内への設置では、建物の壁等に背面板２ｄを近接配置することができるから、建物の床面積を有効に活用することが可能になる。
【００２０】
光ファイバ９と光ファイバ１１、１２との切替接続作業は、パネル２の両側、つまり、前面側と配線盤本体部側とで光ファイバ９と光ファイバ１１、１２とを対照させて行う必要がある。本発明に係る光配線盤１では、作業対象の目的のパネル２を開位置とすることで該パネル２の配線盤本体部１ｃ側が開放されるので、パネル２の両側での光ファイバ９、１１、１２の対照が容易であるから、接続や切替接続の作業能率を向上できる。
但し、図４に示すように、前記光配線盤１では、互いに近接された回転中心を以って回転自在に支持された一対のパネル２をそれぞれ開位置とすると、各パネル２の前面側同士が接近して、作業スペースを確保しにくくなるから、パネル２の前面側にて作業を行う場合には、一対のパネル２を同時には開位置とせず、図５に示すように、配線盤本体部１ａ、１ｂ側での作業を行う目的のパネル２のみ開位置とし、他のパネル２は閉位置に位置させることが好ましい。
【００２１】
配線盤本体部１ｃの前面側中央部にて互いに近接された回転中心を以って回転によって開閉自在に支持された一対のパネル２を備える光配線盤１では、各パネル２の開位置は、配線盤本体部１ｃの前面側中央部となるので、例えば、この光配線盤１の左右（図２、図６、図７中左右）両側に建物の壁や、別の光配線盤等障害物が存在しても、開位置としたパネル２の両側に充分な作業スペースを確保できる。例えば、建物内への設置では、この光配線盤１を部屋の角部に設置しても、開位置とパネル２の両側に作業スペースを充分に確保できるから、設置場所の自由度が向上する。
なお、配線盤本体部１ｃの左右（図２、図６、図７中左右）に設定された回転中心を以って回転によって開閉されるパネルでは、光配線盤前面側に引き出すようにして開放すると、結局、開放されたパネルに対する作業スペース（特にパネルの前面側での作業のための作業スペース）を、配線盤本体部１ｃの前面側のみならず、側部にも確保する必要がある。
【００２２】
光ファイバ１１、１２間の切替接続（ジャンパ接続）は、図３に示すように、両パネル２を閉位置にした状態で行うことが可能であるが、図５に示すように、一方のパネル２を閉位置、他方のパネル２を開位置とすることで、より効率良く行うことができる。すなわち、図５の状態では、パネル２同士が接近するため、各パネル２の光コネクタアダプタ８同士の対照が容易になるから、パネル２に多数の光コネクタアダプタ８が高密度に実装されている場合でも、間違うこと無く、短時間で、作業を効率良く行うことができる。
【００２３】
光ファイバ１１、１２も、光コネクタアダプタ８に対して切替接続可能であるから、これによっても、接続する光ファイバ１１、１２の組を切り替えることが可能である。この場合も、図５の状態とすることで、開位置にあるパネル２の光ファイバ１２の光コネクタアダプタ８に対する切替接続を、このパネル２の光コネクタアダプタ８に前面側から接続されている光ファイバや、閉位置にあるパネル２側の光コネクタアダプタ８（光ファイバ１１）と対照しつつ進めることが容易になることから、短時間で効率良く作業を進めることができる。
【００２４】
なお、本発明は、前記実施の形態に限定されず、各種変更が可能である。
例えば、本発明の適用対象の光配線盤としては、図１（ａ）から（ｄ）〜図７に例示したものに限定されず、各種構成が採用可能である。つまり、適用対象の光配線盤としては、光ファイバをコネクタ接続可能に成端する光コネクタが複数横並びに配列されるコネクタ配列部を備えるものであれば良く、例えば、前記実施の形態記載の光配線盤単位で構成されるもの等であっても良い。
この光配線盤に設けられる光コネクタアダプタとは、光ファイバ同士のコネクタ接続を可能にするものを指し、各種構成が採用可能である。
単心に対応するものでは、例えば、ＪＩＳ  Ｃ  ５９７３に制定されるＳＣ形光コネクタ（Single fiber Coupling optical fiber connector)用のいわゆる光コネクタアダプタや光コネクタレセプタクル等のように、両側から挿入される光コネクタフェルールを突き合わせ接続可能に位置決めする内部スリーブを内蔵するもの等が採用される。また、多心に対応するものとしては、例えば、ＪＩＳ  Ｃ  ５９８１に制定されるＭＴ形光コネクタ（ＭＴ：Mechanically Transferable)同士が内部でピン結合方式により位置決めされて突き合わせ接続される構成のハウジングを備えるもの等が採用される。また、ＪＩＳ  Ｃ  ５９８３に制定されるＭＵ形光コネクタ(Miniature-Unit coupling optical fiber connector)用の接続用ハウジング等も採用可能である。
【００２５】
【発明の効果】
以上説明したように、本発明の光配線盤によれば、配線盤本体部に対して回転によって開閉自在の扉状のパネルに光コネクタアダプタが取り付けられており、このパネルを開くことにより、該パネルの前記配線盤本体部とは逆側である前面側のみならず、前記配線盤本体部側でも、前記光コネクタアダプタに対する光ファイバのコネクタ接続が可能となるから、パネルの開かれる側のみに作業スペースを確保することで、パネルの前面側での光コネクタアダプタに対する光ファイバの接続作業のみならず、開いたパネルの配線盤本体部側の面での作業をも行うことができる。これにより、結局、この光配線盤の設置スペースを省スペース化することができる。また、パネルを開くことで、パネルの両側の光ファイバを対照しつつ接続や切替等の作業を進めることが容易になり、作業性を向上できるといった優れた効果を奏する。
【００２６】
また、本発明の光配線盤によれば、前記パネルの外側から該パネルの前記配線盤本体部側あるいは前記前面側に配線されて前記光コネクタアダプタに接続される光ファイバを保持する光ファイバ保持具が、前記パネルの回転中心近傍にて前記配線盤本体部に設けられているから、パネルの回転が、外側からパネルに配線される光ファイバの光特性に影響を与えることを防止できるといった優れた効果を奏する。
【００２７】
また、本発明の光配線盤によれば、互いに平行な回転中心を以って回転自在の一対の前記パネルを備え、両パネル間に渡すようにして配線される光ファイバが、各パネルの回転中心間に設けられた前記光ファイバ保持具によって保持されるようになっているから、両パネルを回転しても、両パネル間に渡すようにして配線された光ファイバが安定に保持されることとなり、この光ファイバの光特性を安定に維持できるといった優れた効果を奏する。
【図面の簡単な説明】
【図１】  本発明の１実施の形態の光配線盤を示す図であって、（ａ）は正面図、（ｂ）は（ａ）の平面図、（ｃ）は（ｂ）のＡ−Ａ線断面矢視図、（ｄ）は（ａ）のＢ−Ｂ線断面矢視図である。
【図２】  図１（ａ）の光配線盤のＣ−Ｃ線断面矢視図である。
【図３】  図１の光配線盤を示す斜視図であり、一対のパネルがそれぞれ閉位置にある状態を示す。
【図４】  図１の光配線盤を示す斜視図であり、一対のパネルがそれぞれ開位置にある状態を示す。
【図５】  図１の光配線盤を示す斜視図であり、一対のパネルのうちの一方が閉位置、他方が開位置にある状態を示す。
【図６】  図１の光配線盤を示す平断面図であり、１対のパネルがそれぞれ閉位置と開位置との中間位置にある状態を示す。
【図７】  図１の光配線盤を示す平断面図であり、一対のパネルがそれぞれ開位置にある状態を示す。
【符号の説明】
１…光配線盤、１Ａ，１Ｂ…光配線盤、１ａ，１ｂ，１ｃ…配線盤本体部、２…パネル、８…光コネクタアダプタ、９，１１，１２…光ファイバ、１６…光ファイバ保持具。
【図１】
0003761762.tif 000002
【図２】
0003761762.tif 000003
【図３】
0003761762.tif 000004
【図４】
0003761762.tif 000005
【図５】
0003761762.tif 000006
【図６】
0003761762.tif 000007
【図７】
0003761762.tif 000008